【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
一体化された整合回路およびバランに接続された放射器を含む平衡アンテナシステムであって、
ｉ）前記放射器は、それぞれ給電ラインを有する第１の放射素子および第２の放射素子を含み、
ｉｉ）前記整合回路は、第１のインピーダンス整合回路と、第２のインピーダンス整合回路とを含み、
ｉｉｉ）前記第１の放射素子の給電ラインは、前記第１のインピーダンス整合回路に接続され、前記第２の放射素子の給電ラインは、前記第２のインピーダンス整合回路に接続され、
ｉｖ）前記第１および第２の整合回路ならびに前記バランは、一体化され、該アンテナシステムの動作帯域幅にわたって、第１および第２の給電ライン間に、実質的に１８０°の位相差を生成するように構成されてなることを特徴とする平衡アンテナシステム。
【請求項２】
前記バランは、外部電流をキャンセルまたはチョークすることによって不平衡信号を平衡信号に変換するように構成されることを特徴とする、請求項１に記載の平衡アンテナシステム。
【請求項３】
前記バランは、電流バラン、同軸バランまたはスリーブバランのうちのいずれかを含み、および／または前記バランは、インピーダンス変換のために構成される、広帯域ＬＣバランによって構成されることを特徴とする、請求項１または２に記載の平衡アンテナシステム。
【請求項４】
前記バランは、第１のフィルタと第２のフィルタとを含み、随意に、第１のインピーダンス整合回路は、前記第１のフィルタと第１の放射素子との間に設けられ、第２のインピーダンス整合回路は、前記第２のフィルタと第２の放射素子との間に設けられることを特徴とする、請求項１〜３のいずれか１項に記載の平衡アンテナシステム。
【請求項５】
前記バランは、（ａ）前記第１のフィルタを構成するハイパスフィルタと、前記第２のフィルタを構成するローパスフィルタと、Ｔ結合とを含み、または（ｂ）並列に接続される、前記第１のフィルタを構成するハイパスフィルタと、前記第２のフィルタを構成するバンドパスフィルタとを含むことを特徴とする、請求項４に記載の平衡アンテナシステム。
【請求項６】
前記ハイパスフィルタおよび／または前記ロー／バンドパスフィルタは、１または複数のインダクタまたはキャパシタをそれぞれ含むことを特徴とする、請求項５に記載の平衡アンテナシステム。
【請求項７】
前記ハイパスフィルタは、１つまたは直列接続された複数のキャパシタと、１つまたは並列接続された複数のインダクタとを含み、あるいは１つまたは直列接続された複数のキャパシタを含み、インダクタを含まず、
前記ローパスフィルタは、１つまたは直列接続された複数のインダクタと、１つまたは並列接続された複数のキャパシタとを含み、あるいは１つまたは直列接続された複数のインダクタを含み、キャパシタを含まず、
好ましくは、前記ハイパスフィルタは、１つのインダクタと１つのキャパシタとを含み、前記バンドパスフィルタは、複数のインダクタと複数のキャパシタとを含むことを特徴とする、請求項６に記載の平衡アンテナシステム。
【請求項８】
第２のハイパスフィルタおよび／または第２のローパスフィルタが設けられ、随意に、少なくとも１つのスイッチが、前記第２のハイパスフィルタおよび／または前記第２のローパスフィルタを、前記ハイパスフィルタおよび／またはローパスフィルタのそれぞれに代えて動作させるのを可能にするように設けられることを特徴とする、請求項５に記載の平衡アンテナシステム。
【請求項９】
前記第２のハイパスフィルタおよび／または前記第２のローパスフィルタは、ＬＣ回路を含み、前記第２のハイパスフィルタは、直列接続された３つのキャパシタと、並列接続された２つのインダクタとを含み、前記第２のローパスフィルタは、直列接続された３つのインダクタと、並列接続された２つのキャパシタとを含むことを特徴とする、請求項８に記載の平衡アンテナシステム。
【請求項１０】
前記第１および／または第２の整合回路は、前記第１および／または第２の放射素子のそれぞれを異なる周波数で同調させることを可能にするように再構成可能であり、随意に、前記第１および／または第２の整合回路は、可変キャパシタを含むＬＣ回路を含み、または前記第１および／または第２の整合回路は、第１のインダクタと、キャパシタと、第２のインダクタとを含み、前記第１のインダクタは前記キャパシタと並列に接続され、前記第２のインダクタは前記キャパシタと直列に接続され、前記第１のインダクタはグランドプレーンに接続され、前記キャパシタは同調可能であることを特徴とする、請求項１に記載の平衡アンテナシステム。
【請求項１１】
少なくとも１つの代替部品が、前記第１および／または第２の整合回路に含まれるように設けられ、少なくとも１つのスイッチが、前記少なくとも１つの代替部品を他の部品に代えて動作させるのを可能にするように設けられることを特徴とする、請求項１０に記載の平衡アンテナシステム。
【請求項１２】
前記第１の放射素子は、略Ｕ字状に形成され、基板の第１の端部において、基板の第１の側面に設けられる、第１のストリップによって構成されることを特徴とする、請求項１に記載の平衡アンテナシステム。
【請求項１３】
前記Ｕ字状のストリップは、前記基板の第１の端部の半分に位置され、その開放端面が前記第１の端部の中央領域に向かって内方に臨むように配向され、随意に、給電ラインが、前記基板の中央に最も近接し、前記基板の長さに沿って延びる前記Ｕ字状のストリップの始点に設けられることを特徴とする、請求項１２に記載の平衡アンテナシステム。
【請求項１４】
前記第２の放射素子は、前記第１の放射素子に実質的に類似しており、前記基板の第１の側面にも設けられるが、前記第１の放射素子とは反対側の、前記基板の第１の端部の隣接する半分に、前記第２のストリップの開放端が前記第１のストリップの開放端に臨むように、配向され、随意に、間隙が、前記第１および第２の放射素子の各給電ライン間と前記第１および第２のストリップの各端部間とに設けられることを特徴とする、請求項１３に記載の平衡アンテナシステム。
【請求項１５】
グランドプレーンが、前記第１の側面とは反対側の、前記基板の第２の側面に設けられることを特徴とする、請求項１２〜１４のいずれか１項に記載の平衡アンテナシステム。
【請求項１６】
請求項１〜１５のいずれか１項に記載の少なくとも１つの平衡アンテナシステムと、少なくとも１つのさらなるアンテナとを含み、随意に、前記少なくとも１つのさらなるアンテナは、平衡または不平衡アンテナからなり、再構成可能であることを特徴とするＭＩＭＯ用途のためのアンテナ構造体。
【請求項１７】
第１のアンテナが該アンテナ構造体の第１の端部に配置され、第２のアンテナが該アンテナ構造体の第２の端部に配置されることを特徴とする、請求項１６に記載のアンテナ構造体。
【請求項１８】
前記少なくとも１つのさらなるアンテナは、２つ以上の相互に結合された放射素子と、各放射素子の周波数帯域の独立した同調のために構成された２つ以上のインピーダンス整合回路とを含み、各放射素子が、駆動状態、フローティング状態およびグランド状態のそれぞれにおいて選択的に動作するように設けられる、再構成可能アンテナによって構成されることを特徴とする、請求項１６または１７に記載のアンテナ構造体。
【請求項１９】
前記平衡アンテナシステムは、該アンテナ構造体のグランドプレーンにスロットを設けることによって、前記さらなるアンテナから分離されることを特徴とする、請求項１６〜１８のいずれか１項に記載のアンテナ構造体。